(57)【要約】【課題】サドルに抱持された吊子を摺動させることにより折板の熱伸縮を吸収する屋根構造において、母屋の上面が屋根勾配に合わせて傾斜していない場合でも、サドル及び吊子の傾きを、任意の屋根勾配に対して容易に合致させることのできる支持具を提供する。【解決手段】折板屋根のハゼ継ぎ部に挟着される吊子３０と、吊子３０の底部３１を抱持して吊子３０を屋根勾配方向に摺動させるサドル６０と、サドル６０の下部に連結されてサドル６０及び吊子３０を母屋１その他の屋根下地上に保持する脚部８０とによって支持具７０を構成する。脚部８０の上部近傍に設けた水平方向のボルト部材８４を介して、サドル６０を、脚部８０に対し回動自在に連結する。【選択図】図１
2008231822.tif 000002
【特許請求の範囲】
【請求項１】
折板屋根のハゼ継ぎ部に挟着される吊子と、
上記吊子の底部を抱持して吊子を屋根勾配方向に摺動させるサドルと、
上記サドルの下部に連結されてサドル及び吊子を母屋その他の屋根下地上に保持する脚部とからなり、
上記サドルが、上記脚部の上部近傍に設けられた水平方向の軸部材を介して脚部に対し回動自在に連結されることにより、吊子の摺動方向が屋根勾配に応じて変更可能となされたことを特徴とする折板屋根の支持具。
【請求項２】
請求項１に記載の折板屋根の支持具において、
脚部は、底板部と起立板部とからなる略Ｌ字状の脚部半体を対にして構成され、サドルの底部に突設された垂下板部が上記脚部の両起立板部間に挟持されて、これら垂下板部及び両起立板部を貫通するボルト部材により脚部とサドルとが連結されたことを特徴とする折板屋根の支持具。
【請求項３】
請求項１または２に記載の折板屋根の支持具において、
吊子の底部が縦断面逆Ｔ字状に形成されるとともに、サドルには上方に開口する縦断面逆Ｔ字状の溝部が設けられ、この溝部内に吊子の底部が抱持されたことを特徴とする折板屋根の支持具。
【請求項４】
請求項３に記載の折板屋根の支持具において、
サドルは、断面コ字状または横Ｕ字状のサドル半体を対にして構成されたことを特徴とする折板屋根の支持具。
【請求項５】
請求項３または４に記載の折板屋根の支持具において、
サドルの溝部の内側に高潤滑性樹脂材料からなるライナー材が介装されたことを特徴とする折板屋根の支持具。
【発明の詳細な説明】
【技術分野】
【０００１】
本発明は、金属製の折板屋根を母屋等の屋根下地上に葺設するに際し、屋根下地に固定されて屋根材を支持する支持具に関する。
【背景技術】
【０００２】
工場、倉庫、体育館などの大空間建築物や簡易な構造の小規模建築物に好適な屋根葺き構造として、金属製の折板屋根材（以下、単に「折板」という。）をハゼ継ぎして葺設する、いわゆるボルトレス式の折板屋根が広く普及している。かかる折板屋根の基本的な構造は、図４に示すように、母屋１等からなる屋根下地の上面に略台形状のタイトフレーム２を所定間隔で固定し、タイトフレーム２の頂部には吊子３を取り付け、幅方向の中央に底面部４１を有する断面略谷形の折板４をタイトフレーム２の山谷形状に合わせて載置し、隣り合う折板４の側端縁に吊子３の頂部を挟み込んでハゼ継ぎするものである。排水のための屋根勾配は、折板４の長手方向（紙面に直交する方向）に沿って設けられる。
【０００３】
こうして葺設される折板屋根は、激しい外気温変化や太陽輻射熱、風雨などの外的熱要因に曝されて長手方向に伸縮しようとする。そのストレスや摩擦力が蓄積されると、折板４は波うつように変形し、バックリングと呼ばれる爆烈音を発生させる。また、伸縮の繰り返しによる荷重が蓄積されると、吊子３を固定しているボルト・ナット等の締結具５が緩んだり、破損したり、最悪の場合は折板４の飛散に至る可能性もある。かかる問題は、折板４の長さが大きくなればなるほど深刻になる。
【０００４】
そこで、特許文献１〜３等には、このような折板屋根の熱伸縮を吸収する屋根支持構造が開示されている。その屋根支持構造は、図５に示すように、吊子３０の底部３１が断面逆Ｔ字状に形成され、この底部３１が、断面逆Ｔ字状の溝部６１を有するサドル６０によって両側から抱持されるものである。吊子３０は、折板４の熱伸縮に追随してサドル６０の溝部６１内を勾配方向に摺動し、これによって折板４のストレスが開放される。吊子３０の摺動を円滑にするため、溝部６１の内側には高潤滑性樹脂材料からなるライナー材６２が介装されている。
【特許文献１】特開平９−３２８８６９号公報
【特許文献２】特開平１１−１４１０６１号公報
【特許文献３】特開２０００−２４８６９１号公報
【発明の開示】
【発明が解決しようとする課題】
【０００５】
吊子３０が摺動して折板４の熱伸縮を吸収する上記の屋根支持構造においても、吊子３０及びサドル６０を支持するタイトフレーム２は、母屋１等からなる屋根下地上に固定される。ここで、図６（ａ）に示すように、母屋１等の上面が屋根勾配に合わせて傾斜している場合は、母屋１の上面に対して直立するようにタイトフレーム２を取り付けることにより、サドル６０及び吊子３０の傾き（吊子の摺動方向）を支障なく屋根勾配に合致させることができる。
【０００６】
しかしながら、設計上または施工上の事情によっては、図６（ｂ）に示すように、母屋１が傾斜しない状態で架設される場合がある。この場合、母屋１の上面は水平になるから、ここに従来のような形態でタイトフレーム２を取り付けても、サドル６０及び吊子３０の傾きを屋根勾配に合致させることができない。
【０００７】
そこで、本発明は、サドルに抱持された吊子を摺動させることにより折板の熱伸縮を吸収する屋根構造において、母屋の上面が屋根勾配に合わせて傾斜していない場合であっても、サドル及び吊子の傾きを、任意の屋根勾配に対して容易に合致させることのできる支持具を提供するものである。
【課題を解決するための手段】
【０００８】
上記した目的を達成するため、本発明の折板屋根の支持具は、折板屋根のハゼ継ぎ部に挟着される吊子と、上記吊子の底部を抱持して吊子を屋根勾配方向に摺動させるサドルと、上記サドルの下部に連結されてサドル及び吊子を母屋その他の屋根下地上に保持する脚部とからなり、上記サドルが、上記脚部の上部近傍に設けられた水平方向の軸部材を介して脚部に対し回動自在に連結されることにより、吊子の摺動方向が屋根勾配に応じて変更可能となされたものとして特徴づけられる。
【０００９】
この構成により、母屋等の屋根下地の上面が屋根勾配に合わせて傾斜している場合、及び傾斜していない場合のいずれであっても、サドル及び吊子の向きを任意に傾倒させて屋根勾配に合致させることができる。サドルと脚部とは、脚部の上部近傍、つまり屋根下地よりも屋根面に近い位置で連結されるので、折板屋根が伸縮するときに吊子が円滑に追従しやすい。
【００１０】
さらに、本発明の支持具は、上記脚部が、底板部と起立板部とからなる略Ｌ字状の脚部半体を対にして構成され、サドルの底部に突設された垂下板部が上記脚部の両起立板部間に挟持されて、これら垂下板部及び両起立板部を貫通するボルト部材により脚部とサドルとが連結されたものとして特徴づけられる。
【００１１】
この構成によれば、支持具全体の構造が簡素になって安価に製作することができ、組立てや屋根下地への固定も容易である。また、軸部材にボルト部材を用いて締結すれば、サドル及び吊子の傾きを簡単に固定することができ、かつ、締結作業が一箇所ですむため施工性にも優れる。
【００１２】
本発明の支持具におけるサドル及び吊子の構成については、吊子の底部が縦断面逆Ｔ字状に形成されるとともに、サドルには上方に開口する縦断面逆Ｔ字状の溝部が設けられ、この溝部内に吊子の底部が抱持されたものとすることができる。かかる断面形態を採用すれば、折板の熱伸縮や風圧によって吊子に強い外力が作用しても、吊子を強固かつ安定的に保持することができる。
【００１３】
さらに、サドルは、断面コ字状または横Ｕ字状のサドル半体を対にして構成されたものとすることができる。かかる構成は、製作コストの削減や組立て作業の効率化に有利である。
【００１４】
また、サドルの溝部の内側に高潤滑性樹脂材料からなるライナー材を介装することにより、吊子をさらに円滑に摺動させることができる。
【発明の効果】
【００１５】
上述のように構成される本発明の折板屋根の支持具は、該支持具を取り付ける母屋その他の屋根下地の上面が屋根勾配に合わせて傾斜していない場合であっても、サドル及び吊子の傾きを、任意の屋根勾配に対して容易に合致させ、長期にわたって安定的に吊子の摺動を担保することができる。
【発明を実施するための最良の形態】
【００１６】
以下、本発明の実施の形態について図を参照して説明する。図１は本発明の実施形態に係る折板屋根の支持具の全体構成を示す斜視図であり、図２は該支持具の正面図、図３は該支持具の側面図である。なお、図５に示した従来の屋根支持構造と共通または相応する構成要素には共通の符号を付す。
【００１７】
支持具７０は、母屋１その他の屋根下地に固定される脚部８０と、脚部８０の上部に連結されるサドル６０と、サドル６０に抱持される吊子３０とによって構成される。
【００１８】
脚部８０は、鋼材等からなる部材で、従来のタイトフレーム２（図５）に代わるものである。脚部８０は、底板部８１と起立板部８２とからなる略Ｌ字状の脚部半体８３を対にして構成される。脚部半体８３の底板部８１は、母屋１等の長さ方向に沿って母屋１等の上面に配置され、溶接またはボルト・ナット等の固着具を介して固定される。脚部半体８３の起立板部８２は、互いに相対して母屋１等の上面に対し略垂直に立ち上がる。両起立板部８２の上部には、ボルト部材８４等からなる軸部材が、母屋１と平行するように水平方向に取り付けられており、このボルト部材８４にサドル６０が連結される。
【００１９】
サドル６０は、鋼材等からなるサドル半体６３を対にして、その内側にライナー材６２を介装した構造を有している。例示のサドル半体６３は、断面横Ｕ字状をなし、その底部から下向きに突設する垂下板部６４を備えている。両サドル半体６３の垂下板部６４は、互いに重ね合わされた状態で脚部８０の両起立板部８２間に挟持され、これら両垂下板部６４及び両起立板部８２を貫通するボルト部材８４によって連結される。これにより、サドル６０は、図３に示すように、母屋１と直交する鉛直面内を自由に回動することができる。さらに、起立板部８２の一方にはボルト部材８４に螺合する雌ネジがタッピングされており、ボルト部材８４を締着すればサドル６０の角度が固定される。
【００２０】
両サドル半体６３の間に挟み込まれるライナー材６２は、例えば、ポリオレフィン、ポリアセタール、フッ素樹脂、ポリアミド、ポリエステル、ＡＢＳ樹脂、ポリカーボネート、フェノール樹脂等の高潤滑性樹脂材料により成形されている。ライナー材６２には、前後方向に貫通し、かつ上方に開口する縦断面逆Ｔ字状の溝部６１が形成され、溝部６１の開口縁部６４はサドル半体６３の上面に張り出している。
【００２１】
吊子３０は、図５に示した従来のものと同様に、鋼板を折曲加工して形成された部材で、直立部分の頂部３２が、折板４のハゼ締め部に挟着される。底部３１は左右に張り出して、断面逆Ｔ字状をなしている。吊子３０の長さはサドル６０の長さの概ね２倍〜４倍に形成され、底部３１がサドル６０の溝部６１内に抱持されて前後方向に摺動する。底部３１の前後方向両端には、サドル６０からの抜け出しを防ぐための折曲片３３が設けられている。
【００２２】
このように、本発明の支持具７０は、サドル６０及び吊子３０を保持する脚部８０の上部に、サドル６０の傾きを調整する機構を設けたものである。したがって、母屋１の角度が図６（ａ）、（ｂ）のいずれのような状態であっても、吊子３０の摺動方向を任意の屋根勾配に応じて合致させることができる。サドル６０と脚部８０とは、脚部８０の上部、つまり折板４に近い位置に配置された軸部材を介して連結されるので、折板４が伸縮する際の吊子３０の追従も、脚部８０の下部近傍に連結箇所を設ける場合に比べて、より円滑に行われる。また、サドル６０と脚部８０とを連結する軸部材は１本で足りるから、全体の構造が簡素になり、安価に製作することができるとともに、組立てや屋根下地への固定作業、傾きの調整作業も容易である。これにより、吊子３０を摺動させて熱伸縮を吸収する構造の折板屋根を、従来よりも好適に実施することができる。なお、本発明は、例示の実施形態に限定されず、同様の作用をなす類似の機構を利用しても実施可能である。
【図面の簡単な説明】
【００２３】
【図１】本発明の実施形態に係る折板屋根の支持具の全体構成を示す斜視図である。
【図２】上記支持具を屋根勾配方向から見た正面図である。
【図３】上記支持具の側面図である。
【図４】従来の折板屋根の基本的な構造を示す縦断面図である。
【図５】従来の、折板屋根の熱伸縮を吸収する屋根支持構造に用いられるサドル及び吊子の斜視図である。
【図６】図５の屋根支持構造における問題点を示す説明図である。
【符号の説明】
【００２４】
１  母屋
３０  吊子
３１  底部
４  折板
６０  サドル
６１  溝部
６２  ライナー材
６３  サドル半体
６４  垂下板部
７０  支持具
８０  脚部
８１  底板部
８２  起立板部
８３  脚部半体
８４  ボルト部材（軸部材）
【図１】
2008231822.tif 000003
【図２】
2008231822.tif 000004
【図３】
2008231822.tif 000005
【図４】
2008231822.tif 000006
【図５】
2008231822.tif 000007
【図６】
2008231822.tif 000008